(57)【要約】      （修正有）【課題】ソール構造を提供する。【解決手段】ソール構造は、アウトソール１３と、炭素繊維シート１２Ａと、中敷１１とを備える。炭素繊維シートはアウトソールに設置され、ヒール保護フィルム１２２Ａを少なくとも含む。中敷は炭素繊維シートに設置される。【選択図】図１Ａ
0003225331.tif 000002
【実用新案登録請求の範囲】
【請求項１】
アウトソールと、
前記アウトソールに設置され、ヒール保護フィルムを少なくとも含む炭素繊維シートと、
前記炭素繊維シートに設置される中敷と、を備えることを特徴とする、ソール構造。
【請求項２】
前記炭素繊維シートは前記ヒール保護フィルムに連接される足底フィルムを更に備えることを特徴とする、請求項１に記載のソール構造。
【請求項３】
前記足底フィルムの大部分は前記中敷に重畳され、前記ヒール保護フィルムは前記中敷の末端に対応させることを特徴とする、請求項２に記載のソール構造。
【請求項４】
前記炭素繊維シートは前記ヒール保護フィルムに連接される上部保護シートを更に備え、前記上部保護シートは前記ヒール保護フィルムの末端から前記アウトソールの反対方向に延伸され、且つ前記中敷の前端方向に突出させてバックル部が形成され、且つ前記バックル部の長さは前記ヒール保護フィルムの両側の長さより長いことを特徴とする、請求項１から３のいずれか一項に記載のソール構造。
【請求項５】
前記ヒール保護フィルム及び前記上部保護シートは前記中敷の末端に対応させることを特徴とする、請求項４に記載のソール構造。
【請求項６】
前記アウトソールは上部ゴムシート、中底の布及びゴム靴底シートが順に上下に組み合わせられることにより形成され、前記ゴム靴底シートの側辺には側壁を有し、前記側壁により少なくとも部分的な前記炭素繊維シートが遮蔽されることを特徴とする、請求項１から５のいずれか一項に記載のソール構造。
【請求項７】
前記中底の布の材質としてガラス繊維強化プラスチックを含むことを特徴とする、請求項６に記載のソール構造。
【請求項８】
前記中敷の材質として熱可塑性ポリエステル系エラストマーまたはエチレン酢酸ビニルを含むことを特徴とする、請求項１から７のいずれか一項に記載のソール構造。
【請求項９】
前記中底の布は第一中底の布及び第二中底の布を備え、前記第一中底の布と前記第二中底の布との間には第一ピッチを有し、前記第一中底の布は前記中敷の前端に対応させ、前記第二中底の布は前記中敷の末端に対応させ、前記第一ピッチは少なくとも部分的に前記ヒール保護フィルムに対応させることを特徴とする、請求項６または７に記載のソール構造。
【請求項１０】
前記ゴム靴底シートは第一ゴム靴底シートと、第二ゴム靴底シートと、第三ゴム靴底シートとを備え、前記第一ゴム靴底シートと前記第二ゴム靴底シートとの間には第二ピッチを有し、前記第二ゴム靴底シートと前記第三ゴム靴底シートとの間には第三ピッチを有し、前記第一ゴム靴底シートは前記第一中底の布の前段部分に対応させ、前記第二ゴム靴底シートは前記第一中底の布の後段部分に対応させ、前記第三ゴム靴底シートは前記第二中底の布に対応させ、前記第三ピッチは前記第一ピッチに対応させることを特徴とする、請求項９に記載のソール構造。
【請求項１１】
前記第二ピッチは前記第三ピッチより小さいことを特徴とする、請求項１０に記載のソール構造。
【請求項１２】
前記第二ピッチは前記第一中底の布の中間部分にほぼ対応させることを特徴とする、請求項１０または１１に記載のソール構造。
【請求項１３】
前記第一ゴム靴底シートの側辺には第一側壁を有し、前記第二ゴム靴底シートの側辺には第二側壁を有し、前記第三ゴム靴底シートの側辺には第三側壁を有し、前記第一側壁により少なくとも部分的な前記第一中底の布の前記前段部分が遮蔽され、前記第二側壁により少なくとも部分的な前記第一中底の布の前記後段部分が遮蔽され、前記第三側壁により少なくとも部分的な前記ヒール保護フィルムが遮蔽されることを特徴とする、請求項１０から１２のいずれか一項に記載のソール構造。
【請求項１４】
前記第一側壁は前記第一ゴム靴底シートの両側辺からそれぞれ上に向けて延伸されて形成されると共に部分的に連接され、前記第二側壁は前記第二ゴム靴底シートの両側辺からそれぞれ上に向けて延伸されて形成され、前記第三側壁は前記第三ゴム靴底シートの両側辺からそれぞれ上に向けて延伸されて形成されると共に部分的に連接されることを特徴とする、請求項１３に記載のソール構造。
【考案の詳細な説明】
【技術分野】
【０００１】
本考案は、ソール構造に関し、更に詳しくは、足首保護機能を有するソール構造に関する。
【背景技術】
【０００２】
科学技術の進歩に伴って知識の取得も容易になり、人々の機能性製品に対する要求も高まっている。これは日常生活で用いられる電化製品のみならず、スポーツ用品に対しても同様である。一般的には、バスケットボールをプレイする際にはバスケットシューズが必須となっている。
【考案の概要】
【考案が解決しようとする課題】
【０００３】
しかしながら、初期のバスケットシューズの多くはショートブーツ型であり、プレーヤーがコート上でダッシュしたり、リバウンドをとる際に足で滑りやすい地面を踏んでしまったり、或いは他人の足を踏んでしまったりしてひねってしまい、重度の捻挫等の運動傷害が発生することがあった。そこで、本考案者は上記の欠点が改善可能と考え、鋭意検討を重ねた結果、合理的設計で上記の課題を効果的に改善する本考案の提案に到った。
【０００４】
かかる従来の実情に鑑みて、本考案は、足首保護機能を有するソール構造を提供することを目的とする。
【課題を解決するための手段】
【０００５】
上述した課題を解決し、目的を達成するために、本考案に係るソール構造の特徴は、アウトソールと、炭素繊維シートと、中敷とを備える。炭素繊維シートはアウトソールに設置され、ヒール保護フィルムを少なくとも含む。中敷は炭素繊維シートに設置される。
【０００６】
好ましい実施態様では、炭素繊維シートはヒール保護フィルムに連接される足底フィルムを更に備える。足底フィルムの大部分は中敷に重畳され、ヒール保護フィルムは中敷の末端に対応させる。
【０００７】
好ましい実施態様では、炭素繊維シートはヒール保護フィルムに連接される上部保護シートを更に備え、上部保護シートはヒール保護フィルムの末端から上に向けて延伸された後に前に向けて突出させ、且つ突出させる長さはヒール保護フィルムの両側の長さより長い。ヒール保護フィルム及び上部保護シートは中敷の末端に対応させる。
【考案の効果】
【０００８】
先行技術と比較すると、本考案のソール構造は炭素繊維シートで一体成形されるため、足に後ろ向きにかかる力が阻止され、足首保護効果を達成させる。
【図面の簡単な説明】
【０００９】
【図１Ａ】本考案の好ましい実施形態に係るソール構造を示す展開図である。
【図１Ｂ】図１Ａに示す実施形態がアッパーに応用される透明図である。
【図２Ａ】本考案の他の実施形態に係るソール構造を示す展開図である。
【図２Ｂ】図２Ａに示す実施形態がアッパーに応用される透明図である。
【考案を実施するための形態】
【００１０】
以下に図面を参照して、本考案を実施するための形態について、詳細に説明する。なお、本考案は、以下に説明する実施形態に限定されるものではない。また、図面を簡略化するため、いくつかの従来の構造及び部材については図面中で簡単な概略のみ図示する。
【００１１】
以下に、図１Ａ〜図２Ｂを参照しながら、本考案をさらに詳しく説明する。図１Ａに示されるように、ソール構造１は、中敷１１と、炭素繊維シート１２Ａと、アウトソール１３とを備える。中敷１１は、限定されないが、好ましくは熱可塑性ポリエステル系エラストマー（Ｔｈｅｒｍｏｐｌａｓｔｉｃ  Ｐｏｌｙｅｓｔｅｒ  Ｅｌａｓｔｏｍｅｒ、  ＴＰＥＥ）、エチレン酢酸ビニル（Ｅｔｈｙｌｅｎｅ  Ｖｉｎｙｌ  Ａｃｅｔａｔｅ、  ＥＶＡ）、または他の類似する材質で製造される。アウトソール１３は上部ゴムシート１３１、中底の布１３２及びゴム靴底シート１３３が順に上下に組み合わせられることにより形成される。中底の布１３２の材質には制限はないが、好ましくはガラス繊維強化プラスチック（Ｆｉｂｅｒ  Ｇｌａｓｓ  Ｒｅｉｎｆｏｒｃｅｄ  Ｐｌａｓｔｉｃｓ、  ＦＲＰ）である。中敷１１は炭素繊維シート１２Ａに設置される。
【００１２】
ゴム靴底シート１３３の側辺には側壁（即ち、図面ではゴム靴底シート１３３の側辺から上に向けて延伸される高さ）を有し、且つ部分的な炭素繊維シート１２Ａが遮蔽される。側壁は靴のアッパーに縫合、接合または粘着等の方式で連接される。本実施形態に係るソール構造は、制限されないが、好ましくはバスケットシューズに使用される。
【００１３】
炭素繊維シート１２Ａはアウトソール１３に設置され、制限されないが、好ましくは高弾性率炭素繊維で製造され、足底フィルム１２１Ａ及び足底フィルム１２１Ａに連接されるヒール保護フィルム１２２Ａを有する。具体的には、足底フィルム１２１Ａは中敷１１と上部ゴムシート１３１との間に位置され、且つ大部分が中敷１１に重畳される。ヒール保護フィルム１２２Ａは足底フィルム１２１Ａの側辺及び末端から上に向けて延伸されるように一体成形され、且つ延伸された後に前端が開放され、後端が閉鎖される態様を呈し、外観は漏斗状に類似する態様を呈する。実際の使用において、足底フィルム１２１Ａは主に人体の足裏の部位に対応させ、ヒール保護フィルム１２２Ａにより形成される範囲は部分的に人体の踵部位を被覆させる。
【００１４】
この炭素繊維シート１２Ａの設計により、アスリートが足首を上げて運動する状態でも、炭素繊維シート１２Ａにより踵に後ろ向きにかかる力を阻止させ、足首を保護させる。
【００１５】
本実施形態では、中底の布１３２は好ましくは特に制限のない製織方法により複数の格子を有する格子構造の織布が形成され、各格子の大きさは好ましくは０．２ｍｍから４ｍｍの範囲であるが、但しこの限りではない。また、上部ゴムシート１３１、中底の布１３２及びゴム靴底シート１３３が上下に熱プレスされることにより上部ゴムシート１３１が中底の布１３２の格子構造を貫通させてゴム靴底シート１３３に粘着されることによりアウトソール１３が形成される。これにより、本考案のアウトソール１３は好ましい強度を有し、一般的な薄ゴムのように破れやすくはならない。
【００１６】
中敷１１は制限されないが、好ましくは炭素繊維シート１２Ａに貼り合わせられる。炭素繊維シート１２Ａはアウトソール１３に貼り合わせられるか、貼り合わせられず、具体的には、炭素繊維シート１２Ａは上部ゴムシート１３１に覆設され、且つ炭素繊維シート１２Ａ及び上部ゴムシート１３１が互いに固定／粘着されるか、または固定／粘着されない。上部ゴムシート１３１は好ましくは粘着剤により炭素繊維シート１２Ａに粘着されるが、但しこの限りではない。他の実施形態では、圧着、射出接着等の方式でもよい。
【００１７】
本実施形態では、中底の布１３２は好ましくは互いに分離する２つの第一中底の布１３２１及び第二中底の布１３２２で構成される。第一中底の布１３２１と第二中底の布１３２２との間に挟まれた距離はここでは第一ピッチと定義される。第一中底の布１３２１の設置位置は中敷１１の前端にほぼ対応させ、実際に着用する際は人体の足裏部位にほぼ対応させる。第二中底の布１３２２の設置位置は中敷１１の末端にほぼ対応させ、実際の着用時には人体の踵部位にほぼ対応させる。第一ピッチは少なくとも部分的にヒール保護フィルム１２２Ａに対応させ、実際の着用においては人体の土踏まず部位にほぼ対応させる。
【００１８】
ゴム靴底シート１３３は好ましくは互いに分離する３つの第一ゴム靴底シート１３３１、第二ゴム靴底シート１３３２及び第三ゴム靴底シート１３３３で構成される。第一ゴム靴底シート１３３１と第二ゴム靴底シート１３３２との間には第二ピッチを有し、第二ゴム靴底シート１３３２と第三ゴム靴底シート１３３３との間には第三ピッチを有する。第一ゴム靴底シート１３３１の設置位置は第一中底の布１３２１に近接する前段部分に対応させ、第二ゴム靴底シート１３３２の設置位置は第一中底の布１３２１に近接する後段部分に対応させ、第三ゴム靴底シート１３３３の設置位置は第二中底の布１３２２に対応させ、第三ピッチは第一ピッチにほぼ対応させる。第二ピッチは好ましくは第三ピッチより小さく、且つ第二ピッチは好ましくは第一中底の布１３２１の中間部分にほぼ対応させる。
【００１９】
図１Ａを参照すると、第一ゴム靴底シート１３３１の側辺には第一側壁（即ち、上に向けて延伸される高さ）を有し、第二ゴム靴底シート１３３２の側辺には第二側壁を有し、第三ゴム靴底シート１３３３の側辺には第三側壁を有する。第一側壁、第二側壁及び第三側壁はそれぞれ貼り合わせ、粘着または縫合方式によりアッパーに連接される。
【００２０】
第一側壁は好ましくは第一ゴム靴底シート１３３１の両側辺からそれぞれ上に向けて延伸されると共に部分的に連接されることにより形成され、人体の爪先に対応させる位置が相互に連接されていると見做せ（即ち、人体の爪先箇所を包囲させる）、第一側壁により少なくとも部分的な第一中底の布１３２１の前段部分が遮蔽される。第二側壁は第二ゴム靴底シート１３３２の両側辺からそれぞれ上に向けて延伸されて形成され、且つ少なくとも部分的な第一中底の布１３２１の後段部分が遮蔽される。第三側壁は好ましくは第三ゴム靴底シート１３３３の両側辺からそれぞれ上に向けて延伸されると共に部分的に連接されることにより形成され、人体の踵に対応させる位置が相互に連接されていると見做せ（即ち、人体の踵箇所を包囲させる）、第三側壁により少なくとも部分的なヒール保護フィルム１２２Ａが遮蔽される。
【００２１】
図１Ｂは図１Ａに示すソール構造１がバスケットシューズのアッパーに応用される透明図である。上述したように、アウトソールの側壁は貼り合わせ、粘着または縫合方式によりアッパーにそれぞれ連接される。図に示すように、ヒール保護フィルム１２２Ａは人体の踵部位を被覆させる。
【００２２】
図２Ａ及び図２Ｂは本考案の他の実施形態である。本実施形態のソール構造は前述の実施形態に類似し、中敷１１及びアウトソール１３の細部の構造は同じであるため再述は省く。両者の差異は炭素繊維シートの構造の違いのみである。
【００２３】
図２Ａ及び図２Ｂに示すように、炭素繊維シート１２Ｂは好ましくは同様にヒール保護フィルム１２１Ｂ及びヒール保護フィルム１２１Ｂに連接される上部保護シート１２２Ｂを備える。ヒール保護フィルム１２１Ｂ及び上部保護シート１２２Ｂは中底の布の末端に対応させ。上部保護シート１２２Ｂはヒール保護フィルム１２１Ｂから上に向けて延伸されて一体成形され、具体的には、上部保護シート１２２Ｂはヒール保護フィルム１２１Ｂの末端から上に向けて延伸された後に前に向けて突出させ、且つ突出部分の長さはヒール保護フィルム１２１Ｂの両側の長さよりやや長い。
【００２４】
詳しくは、上部保護シート１２２Ｂは好ましくは左右両側のバックル部１２２１Ｂを更に備える。上部保護シート１２２Ｂはヒール保護フィルム１２１Ｂの末端からアウトソール１３の反対方向に延伸され、且つ中敷の前端方向に突出させてバックル部１２２１Ｂが形成され、且つバックル部の長さはヒール保護フィルム１２１Ｂの両側の長さより長い。
【００２５】
実際の着用時には、ヒール保護フィルム１２１Ｂは主に人体の踵に密着するように被覆させる態様を呈する。上部保護シート１２２Ｂはヒール保護フィルム１２１Ｂが踵を包囲させる箇所からアキレス腱に沿って上に向けて延伸され、足首の両側の突出する骨（即ち、踝）箇所を超過し、且つ上部保護シート１２２Ｂはアキレス腱箇所から前に向けて延伸されることにより形成されるバックル部１２２１Ｂにより人体の腓骨及び脛骨部位が部分的に包囲される（即ち、不完全に閉鎖される）。全体的には、上部保護シート１２２Ｂは馬蹄形にほぼ類似する態様を呈し、且つその末端箇所はヒール保護フィルム１２１Ｂに連接され、ヒール保護フィルム１２１Ｂは漏斗状に類似する態様を呈する。
【００２６】
実際の使用において、足に後ろ向きにかかる力が阻止されるほか、上部保護シート１２２Ｂにより腓骨及び脛骨部位に対して保護効果が提供される。即ち、人体の足の横方向に対する保護力が提供される。
【００２７】
本実施形態では、ヒール保護フィルム１２１Ｂの底部は上部ゴムシート１３１の上面に連接される。図２Ｂはソール構造及びアッパーの結合態様を示す。制限されないが、好ましくは、バスケットシューズのアッパーであり、図面では炭素繊維シート１２Ｂのヒール保護フィルム１２１Ｂ及び上部保護シート１２２Ｂが人体の足に貼付される使用状態を示す。
【００２８】
他の実施形態では、炭素繊維シート１２Ｂと人体との間の固定性を高めるため、上部保護シート１２２Ｂの前端に孔部がそれぞれ設けられ、上部保護シート１２２Ｂの孔部及びアッパー上の孔部に靴紐が通されて結び付けられる。これにより、より高い固定性を提供する。
【００２９】
上述から分かるように、先行技術に比べ、本考案のソール構造は炭素繊維シートで一体成形されるため、足に後ろ向きにかかる力が阻止され、足首の保護効果を達成させる。
【００３０】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３１】
１  ソール構造
１１  中敷
１２Ａ  炭素繊維シート
１３  アウトソール
１２１Ａ  足底フィルム
１２２Ａ  ヒール保護フィルム
１３１  上部ゴムシート
１３２  中底の布
１３３  ゴム靴底シート
１３２１  第一中底の布
１３２２  第二中底の布
１３３１  第一ゴム靴底シート
１３３２  第二ゴム靴底シート
１３３３  第三ゴム靴底シート
１２Ｂ  炭素繊維シート
１２１Ｂ  ヒール保護フィルム
１２２Ｂ  上部保護シート
１２２１Ｂ  バックル部
【図１Ａ】
0003225331.tif 000003
【図１Ｂ】
0003225331.tif 000004
【図２Ａ】
0003225331.tif 000005
【図２Ｂ】
0003225331.tif 000006